(57)【要約】【課題】仰臥用のマットについて、仰臥した使用者の脊柱を好ましい状態で支持可能なものとして、脊柱の歪みに起因する症状を予防又は軽減できるようにする。【解決手段】仰臥した使用者の少なくとも背中から下の胴部を載せる胴部用マット３Ａの頭側端部に、使用者の頭部及び頸部を載せるピロー４Ａを連設してなるピロー付マット１Ａであって、そのピロー４Ａが、少なくとも頭部を載せる位置と頸部を載せる位置に、エアーコントロールボックス６Ａにチューブ７で接続されて膨張・収縮動作が可能なエアーバッグ４０ａ，４０ｂが各々内装されており、エアーコントロールボックス６Ａに接続したリモコン１５Ａを操作して頭部用及び頸部用のエアーバッグ４０ａ，４０ｂの高さを各々変更することにより、仰臥した使用者の胴部上端側の脊柱の高さ・角度に応じてその頭部及び頸部を所望する高さ・角度に調整することが可能とされているものとした。【選択図】図１
2018082834.tif 000002
【特許請求の範囲】
【請求項１】
仰臥した使用者の少なくとも背中から下の胴部を載せる胴部用マットの頭側端部に、使用者の頭部及び頸部を載せるピローを連設してなるピロー付マットにおいて、前記ピローは、少なくとも頭部を載せる位置と頸部を載せる位置に、給排気手段にチューブで接続されて膨張・収縮動作が可能なエアーバッグが各々内装されており、前記給排気手段に接続した操作手段を操作して前記頭部用及び頸部用のエアーバッグの高さを各々変更することにより、仰臥した使用者の胴部上端側の脊柱の高さ・角度に応じてその頭部及び頸部を所望する高さ・角度に調整することが可能とされている、ことを特徴とするピロー付マット。
【請求項２】
前記胴部用マットにおける使用者の頸椎下端部及び胸椎上端部を載せる位置に、前記給排気手段にチューブで接続されて膨張・収縮動作が可能なエアーバッグが内装されており、前記給排気手段に接続した前記操作手段を操作して前記エアーバッグの高さを変更することにより、仰臥した使用者の胸椎から頸椎に繋がる部分を所望する高さ・角度に調整することが可能とされている、ことを特徴とする請求項１に記載したピロー付マット。
【請求項３】
前記頸部用のエアーバッグは、上下２層の空気室を備えており、別個に膨張・収縮動作が可能とされている、ことを特徴とする請求項１又は２に記載したピロー付マット。
【請求項４】
前記胴部用マットは、仰臥した使用者の左右の肩甲骨を載せる位置に、前記給排気手段にチューブで接続されて膨張・収縮動作が可能な肩用のエアーバッグが各々内装されており、前記操作手段を操作して、左右両方又は左右いずれかの前記肩用のエアーバッグの高さを変更することで、仰臥した使用者の胴部の状態に対応しながら使用者の肩甲帯を所望する高さ・角度に支持するように調整することが可能とされている、ことを特徴する請求項１，２又は３に記載したピロー付マット。
【請求項５】
前記胴部用マットは、仰臥した使用者の胴部の脊柱に沿うように、前記給排気手段にチューブで接続されて膨張・収縮動作が可能な胴部脊柱用のエアーバッグが縦長に内装されており、前記操作手段を操作して前記エアーバッグを膨張させることで、仰臥した使用者の胴部中心線沿った部分を持ち上げて胴部の脊柱のストレッチを行う、ことを特徴とする請求項１，２，３又は４に記載したピロー付マット。
【請求項６】
前記胴部脊柱用のエアーバッグは、前記操作手段を操作することで膨張・収縮動作を所定の周期で自動的に繰り返す設定が可能とされている、ことを特徴とする請求項５に記載したピロー付マット。
【請求項７】
前記胴部脊柱用のエアーバッグは、縦方向に少なくとも２個以上の空気室が連設されてなるものであり、前記各空気室が別個に膨張・収縮動作を可能とされている、ことを特徴とする請求項５又は６に記載したピロー付マット。
【請求項８】
前記各エアーバッグにチューブで接続された前記給排気手段と、該給排気手段に接続して操作を行うための前記操作手段を備えている、ことを特徴とする請求項１，２，３，４，５，６又は７に記載したピロー付マット。
【発明の詳細な説明】
【技術分野】
【０００１】
本発明は、ピローが付設された仰臥用のマットに関し、殊に、仰臥した使用者の脊柱を好ましい状態で支持するように調整することのできるピロー付マットに関する。
【背景技術】
【０００２】
近年、ＩＴ機器を長時間使用することを原因としたＩＴ猫背に加え、スマートフォンの長時間使用によるスマホ猫背・スマホネックと言われる姿勢の異常が増加している。また、背中が丸くなることに連動して、頭が前方にずれながら腰の反った状態になりやすいことも知られており、このような脊柱の歪みと身体全体のアライメントの狂いを原因として、首や背中のこり・張り・痛みを生じることに加え、不眠・疲労感などの深刻な症状に悩まされるケースも多い。
【０００３】
これに対し、最近では充填空気量を調整可能なエアーバッグを有して高さ調整機能を備えたピロー（枕）や、適度な反発力を有して背骨を適度な状態で支持しながら寝返りをしやすくしたマット（敷寝具）も普及しており、このようなピローとマットを併用することで、頭・首・背中を適度な状態で支持して脊柱の歪みを予防又は軽減しながら、良質な睡眠を確保することも考えられる。
【０００４】
しかし、頭蓋骨に繋がる頸椎は、胸椎・腰椎・仙骨・尾骨と連続する脊柱の上端部分を構成している関係で、寝返り時に胸椎及び肩の動作に連動するものであるため、使用するマット（敷寝具）の特性に応じて頸椎から下の部分がどのような状態で支持されるかを考慮しながら、各々の状態に応じてピローの高さ・硬さの調整を精度高く行う必要がある。
【０００５】
ところが、様々な状況に対応して体の支持状態を調整しながら最適な睡眠時の姿勢を確保することは、実際には容易なものではない。そのため、スマホ猫背の人は背中が丸まって背筋が緊張したまま寝ることになり、４０、５０肩の人は睡眠時に適切な姿勢が確保されずに肩の痛みが増強され、充分な睡眠がとれないことで様々な体調不良を招きやすい。この場合、チェア式のマッサージ機を用いて使用者の首から背筋にかけてもみほぐすことも考えられるが、マッサージで筋肉のこりや張りが一時的に改善されたとしても、それが身体の歪みや睡眠時の痛みの解消には繋がらないため、前述のような体調不良を予防・改善することは困難である。
【０００６】
これに対し、マット本体表面の長手方向に複数個のエアーバッグを並列配置して、エアーバッグ内に空気を給排気しながら膨張・伸縮を行うことで、仰臥した使用者の背骨に沿ってマッサージを行う方式のマッサージ機が、特許第４４１３１１６号公報に提案されており、これを用いることで背骨に沿って背筋をマッサージしながら脊柱をストレッチすることも可能としている。
【０００７】
しかしながら、このマッサージ機のエアーバッグは、使用者の体の幅と同程度の横幅を持っているために膨張時に押圧する左右幅が大きいことから、脊柱部分の押上げ力が強いものではなく、そのストレッチ作用による脊柱の矯正効果は不充分である。また、頸部から上側に頭部及び頸部を支持するためのエアーバッグが配置されていないことから、長手方向に配置したエアーバッグによるストレッチ作用が充分に発揮されにくいものとなっている。
【先行技術文献】
【特許文献】
【０００８】
【特許文献１】特許第４４１３１１６号公報
【発明の概要】
【発明が解決しようとする課題】
【０００９】
本発明は、上記のような問題を解決しようとするものであり、仰臥用のマットについて、仰臥した使用者の脊柱を好ましい状態で支持可能なものとして、脊柱の歪みに起因する症状を予防又は軽減できるようにすることを課題とする。
【課題を解決するための手段】
【００１０】
そこで、本発明は、仰臥した使用者の少なくとも背中から下の胴部を載せる胴部用マットの頭側端部に、使用者の頭部及び頸部を載せるピローを連設してなるピロー付マットにおいて、そのピローは、少なくとも頭部を載せる位置と頸部を載せる位置に、給排気手段にチューブで接続されて膨張・収縮動作が可能なエアーバッグが各々内装されており、その給排気手段に接続した操作手段を操作して頭部用及び頸部用のエアーバッグの高さを各々変更することにより、仰臥した使用者の胴部上端側の脊柱の高さ・角度に応じてその頭部及び頸部を所望する高さ・角度に調整することが可能とされている、ことを特徴とするものとした。
【００１１】
このように、胴部用マットに高さ調整可能なピローを付設して一体化したことにより、使用する敷寝具の状態に影響されて就寝時の最適な姿勢の確保が容易ではなかった従来例とは異なり、ピローにおける頭部と頸部の高さ調整操作が容易かつ精密に行えることから、仰臥した使用者の脊柱上部から中部に亘る部分を好ましい状態で容易に支持できるようになるため、脊柱の歪みに起因する症状を予防又は軽減しやすいものとなる。
【００１２】
また、このピロー付マットにおいて、その胴部用マットにおける使用者の頸椎下端部及び胸椎上端部を載せる位置に、給排気手段にチューブで接続されて膨張・収縮動作が可能なエアーバッグが内装されており、その給排気手段に接続した操作手段を操作してそのエアーバッグの高さを変更することにより、仰臥した使用者の胸椎から頸椎に繋がる部分を所望する高さ・角度に調整することが可能とされていることを特徴としたものとすれば、仰臥した使用者の脊柱上部を一層好ましい状態で支持しやすいものとなる。
【００１３】
さらに、上述したピロー付マットにおいて、その頸部用のエアーバッグは、上下２層の空気室を備えており、別個に膨張・収縮動作が可能とされている、ことを特徴としたものとすれば、例えば一方を硬さ調整用として他方を高さ調整用とする等して、より精密な調整を可能なものとすることができる。
【００１４】
さらにまた、上述したピロー付マットにおいて、その胴部用マットは、仰臥した使用者の左右の肩甲骨を載せる位置に、前記給排気手段にチューブで接続されて膨張・収縮動作が可能な肩用のエアーバッグが各々内装されており、前記操作手段を操作して、左右両方又は左右いずれかの肩用のエアーバッグの高さを変更することで、仰臥した使用者の胴部の状態に対応しながら使用者の肩甲帯を所望する高さ・角度に支持するように調整することが可能とされている、ことを特徴としたものとすれば、例えば５０、６０肩の使用者において睡眠時に痛みやすい肩甲帯の部分を好ましい状態で支持しながらこれを保護することが可能となる。
【００１５】
加えて、上述したピロー付マットにおいて、その胴部用マットは、仰臥した使用者の胴部の脊柱に沿うように、前記給排気手段にチューブで接続されて膨張・収縮動作が可能な胴部脊柱用のエアーバッグが縦長に内装されており、前記操作手段を操作して前記エアーバッグを膨張させることで、仰臥した使用者の胴部中心線沿った部分を持ち上げて胴部の脊柱のストレッチを行う、ことを特徴としたものとすれば、前方に湾曲した脊柱を持ち上げて逆に曲がるようにストレッチすることで丸い背中が伸びて姿勢が矯正されることに加え、胸郭が広がることに伴うリラックス作用と入眠効果も期待できるものとなる。
【００１６】
また加えて、このピロー付マットにおいて、その胴部脊柱用のエアーバッグは、前記操作手段を操作することで膨張・収縮動作を所定の周期で自動的に繰り返す設定が可能とされている、ことを特徴としたものとすれば、脊柱のストレッチ機能が一層発揮されやすくなる。
【００１７】
さらに加えて、上述した胴部脊柱用のエアーバッグを備えたピロー付マットにおいて、その胴部脊柱用のエアーバッグは、縦方向に少なくとも２個以上の空気室が連設されてなるものであり、各空気室が別個に膨張・収縮動作を可能とされている、ことを特徴としたものとすれば、精密且つ部分的な胴部脊柱のストレッチ機能が発揮可能なものとなる。
【００１８】
そして、前記各エアーバッグにチューブで接続された前記給排気手段と、その給排気手段に接続して操作を行うための操作手段を備えている、ことを特徴とする上述したピロー付マットとすれば、上述した作用・効果をすぐに発揮可能なものとなる。
【発明の効果】
【００１９】
胴部用マットに高さ調整機能を有したピローを付設して一体化した本発明によると、仰臥した使用者の脊柱を好ましい状態で支持可能なものとして、脊柱の歪みに起因した症状を予防又は軽減できるものである。
【図面の簡単な説明】
【００２０】
【図１】本発明における第１の実施の形態であるピロー付マットの構成を示す平面図である。
【図２】図１のＸ−Ｘ線に沿う断面図である。
【図３】図１のピロー付マット本体内部の給排気系の構成を示す機能ブロック図である。
【図４】図３のエアーコントロールボックスの電気系の構成を示す機能ブロック図である。
【図５】図１の肩用のエアーバッグの動作を説明するためのＹ−Ｙ線に沿う断面図であって、（Ａ）は未作動状態、（Ｂ）は右肩用のエアーバッグが膨張した状態、（Ｃ）は左肩用のエアーバッグが膨張した状態、（Ｄ）は右肩用エアーバッグと左肩用エアーバッグの両方が膨張した状態である。
【図６】本発明における第２の実施の形態であるピロー付マットの構成を示す平面図である。
【図７】図６のピロー付マットの使用時の状態を示す縦断面図であって、（Ａ）は胴部脊柱用のエアーバッグが収縮した状態、（Ｂ）は胴部脊柱用のエアーバッグが膨張した状態である。
【発明を実施するための形態】
【００２１】
以下に、図面を参照しながら本発明を実施するための形態を説明する。尚、本発明において、ピロー付マットの縦（方向）とは、使用者が仰臥した使用状態で脊柱の長手方向に沿う向きを意味するものとする。
【００２２】
図１は、本発明における第１の実施の形態であるピロー付マット１Ａであって、電源線８に接続された給排気手段であるエアーコントロールボックス６Ａに複数本のチューブ７で接続した状態を平面図で示しており、図２はそのＸ−Ｘ線に沿う断面図である。このピロー付マット１Ａは、仰臥した使用者の背中から下の胴部を載せる胴部用マット３Ａの頭側端部に、使用者の頭部及び頸部を載せるピロー４Ａを接続部５０を介して連設してなるものであり、使用者の背中をマット３Ａに載せた状態でピロー４Ａの頭部を載せる部分と頸部を載せる部分の高さを調整できるようになっている。
【００２３】
即ち、そのピロー４Ａは、図３の給排気系の機能ブロック図に示すように、ピロー本体４０の頭部と頸部を載せる位置に、電動ポンプを備えたエアーコントロールボックス６Ａにチューブ７で各々接続されて膨張・収縮動作が可能なエアーバッグ４０ａ，４０ｂが各々内装されており、エアーコントロールボックス６Ａに無線接続したリモコン１５Ａを操作することで、頭部用及び頸部用のエアーバッグ４０ａ，４０ｂの高さを各々変更できるようになっており、仰臥した使用者の胴部上端側の脊柱の高さ・角度に応じて、頭部及び頸部を所望する高さ・角度に精密に調整することを可能としている。
【００２４】
そのため、高さ変更機能を備えた従来品のピローが使用する寝具の状態に影響されて脊柱を好ましい状態で支持しにくかったのに対し、胴部用マット３Ａに高さ調整機能を備えたピロー４Ａを付設して一体化した本実施の形態のピロー付マット１Ａでは、ピロー４Ａにおける頭部と頸部の高さ調整が、手間を要さずに精密に行えるようになったことから、仰臥した使用者の脊柱上部から中部に亘る部分を容易に好ましい状態で支持することができ、脊柱の歪みに起因した種々の症状を予防又は軽減しやすいものとなっている。
【００２５】
また、図２及び図３に示すように、その胴部用マット３Ａには、マット本体３０における使用者の頸椎下端部及び胸椎上端部を載せる位置に、エアーコントロールボックス６Ａにチューブ７で接続されて膨張・収縮動作が可能なエアーバッグ３０ａが、支持板３８上に配置されており（図２参照）、リモコン１５Ａを操作してエアーバッグ３０ａの高さを変更することで、仰臥した使用者の胸椎から頸椎に繋がる部分（第７頸椎〜第１胸椎）を所望する高さ・角度に調整できるようになっている。これにより、前述したピロー４Ａの高さ調整機能と相俟って、仰臥した使用者の脊柱上部を一層好ましい状態で支持しやすくしている。
【００２６】
さらに、この胴部用マット３Ａは、そのマット本体３０における仰臥した使用者の左右の肩甲骨を載せる位置に、エアーコントロールボックス６Ａにチューブ７，７で接続されて膨張・収縮動作を可能とした肩用のエアーバッグ３０ｂ，３０ｃが、支持板３８上に各々配設されており、リモコン１５Ａを操作しながら、左右両方又は左右いずれかの肩用のエアーバッグ３０ｂ，３０ｃの高さを変更することで、仰臥した使用者の胴部の状態に対応しながらその肩甲帯を所望する高さ・角度に支持するように調整可能とした点を特徴としている。
【００２７】
したがって、例えば５０、６０肩に悩まされている使用者において、睡眠時に痛みやすい肩を好ましい状態で支持しながらこれを適切に保護することができ、肩の痛みの発生を抑えながら良質な睡眠を確保しやすくする機能を発揮するものとなる。殊に、ピロー４Ａに内装したエアーバッグ４０ａ，４０ｂと胴部用マット３Ａに内装したエアーバッグ３０ａとが脊柱上部を好ましい状態で支持するように複合されたことで、一層快適な睡眠を実現しやすいものとなっている。
【００２８】
図４は、エアーコントロールボックス６Ａにおける電気系の構成を機能ブロック図で示している。このエアーコントロールボックス６Ａは、所定の制御プログラムを有した電子制御ユニット６０を備えており、これが各チューブ７に給気する２つの電動ポンプ６２，６３を駆動制御するとともに、それから分岐した５本のチューブに配設した電磁弁６４ａ，６４ｂ，６４ｃ，６４ｄ，６４ｅ及びその基端側に設けた排気用の電磁弁６４を開閉制御するようになっている。また、この電子制御ユニット６０は、受信手段６１を介して無線接続されたリモコン１５Ａ（図３参照）により、各種設定と操作が行われるようになっている。
【００２９】
図５は、上述したピロー付マット１Ａの胴部用マット３Ａに内装されている肩用のエアーバッグ３０ｂ，３０ｃの動作状況を示している。このエアーバッグ３０ｂ，３０ｃは、比較的硬質の上板と底板の中間にある比較的軟質で蛇腹状の部分が伸縮する構造を有しており、胴部用マット３Ａにおける中心線寄りの内側部分が殆ど伸縮しないため、その部分がヒンジ状に作用して図５（Ａ）の収縮状態と図５（Ｄ）の膨張状態との間で開閉動作を行うようになっている。
【００３０】
また、斯かるエアーバッグ３０ｂ，３０ｃは、リモコン１５Ａの操作により図５（Ａ）の収縮状態（無作動状態）から、図５（Ｂ）のように右肩用のエアーバッグ３０ｂのみを膨張させることや、図５（Ｃ）のように左肩用のエアーバッグ３０ｃのみを膨張させることができ、また、図５（Ｄ）のように左右両方のエアーバッグ３０ｂ，３０ｃを膨張させる操作も可能であり、且つ、各膨張レベルに応じた高さの調整を精密に行えるようになっている。
【００３１】
図６は、本発明における第２の実施の形態であるピロー付マット１Ｂであって、電源線８に接続されたエアーコントロールボックス６Ｂに複数本のチューブ７で接続された状態を平面図で示している。本実施の形態では、ピロー４Ｂが高さ調整用のエアーバッグ４１ａ，４１ｂ及び硬さ調整用のエアーバッグ４１ｃを備えて頭部と頸部の高さ及び角度を調整可能であることに加え、その胴部用マット３Ｂには、２つのエアーバッグ３１ａ，３１ｂが、マット本体３１内で支持板３９（図７参照）上で仰臥した使用者の胴部脊柱に沿うように縦長に内装されている点を特徴としている。
【００３２】
この胴部脊柱用のエアーバッグ３１ａ，３１ｂは、使用者の肩幅の３分の１前後の幅で第７頸椎から仙骨に亘る範囲をカバーするように内装されており、エアーコントロールボックス６Ｂに各々チューブ７で接続されて膨張・収縮動作が可能とされている。そして、そのエアーバッグ３１ａ，３１ｂを、リモコン１５Ｂの操作によりエアーコントロールボックス６Ｂを駆動させながら膨張させて、仰臥した使用者の胴部中心線に沿う部分を背後から持ち上げることにより、脊柱のストレッチ機能を発揮するようになっている。
【００３３】
即ち、図７（Ａ）に示す胴部脊柱用のエアーバッグ３１ａ，３１ｂが収縮した未作動状態から、図７（Ｂ）に示すように、エアーバッグ３１ａ，３１ｂを膨張させることにより、仰臥した使用者の脊柱（胸椎・腰椎・仙骨）を持ち上げながら矢印方向にストレッチを行うようになっており、ＩＴ猫背等で丸まった背中を逆向きに伸展させることで姿勢を矯正しながら体のバランスを回復させる機能等を発揮するものである。
【００３４】
尚、本実施の形態のピロー付マット１Ｂにおいては、ピロー４Ｂに内装したエアーバッグ４１ａ，４１ｂ，４１ｃをリモコン１５Ｂの操作で調整することにより、使用者の頭部と頸部が胴部用マット３Ｂの状態との関係で適度な高さ・角度に支持されるため、前述したストレッチ機能が一層有効に発揮されやすいものとなっている。
【００３５】
また、このようにして胴部脊柱を持ち上げることで、手足の重みにより全身が穏やかに伸展されるとともに胸郭の前面側も伸展するため、背中を初めとした体幹部の筋肉をほぐすことができる。これにより、副交感神経が優位に働きやすくなるとともに、あばら骨が左右に広がり胸の筋肉の張りも解消されるため、空気を充分に取り込めるようになって、仰臥した使用者をリラックスさせながら眠気を誘う入眠効果も発揮することになり、良質な睡眠が確保されることによる疲労回復効果も期待できるものである。
【００３６】
また、本実施の形態においては、使用者がリモコン１５Ｂを操作することで、各エアーバッグの給排気を制御して各々の高さを精密に調整することができることに加え、図示しない電子制御ユニット６０に記憶した制御プログラムにより、エアーバッグ３１ａ，３１ｂを様々なモードで連続的に給排気させることも可能である。例えば、以下の表１に示すようなモード１〜４を選択して動作させることが想定され、このように５〜８分程度かけて５サイクル程度を実行することで、体幹の張りやこりが充分にほぐれて体のバランスが整えられるとともに、副交感神経が優位になることによるリラックス作用で優れた入眠効果が期待できる。
【００３７】
【表１】
2018082834.tif 000003
【００３８】
尚、上述した説明では、胴部脊柱用の２つのエアーバッグ３１ａ，３１ｂを同時に給排気する場合を説明したが、２つよりも多いエアーバッグを縦長に連設してもよいことに加え、各空気室を別個に膨張・収縮動作を可能なものとして、胴部脊柱に沿って縦長に配置した複数個のエアーバッグの一部を給排気したり、部分的に給排気のタイミング・量を変動させて蠕動運動などの特定の動作をさせたりしてもよく、脊柱に沿って波状に動作させたりする複合動作により、一層優れたストレッチ機能を発揮することができる。
【００３９】
また、本実施の形態のピロー付マット１Ｂを使用することで、骨粗鬆症に伴って背骨の前部が楔状に狭くなった円背の症状を有した使用者においても、睡眠時にその円背をリカバーしながら脊柱のアライメントを正常に戻す効果も期待される。さらに、このピロー付マット１Ｂに、上述した第１の実施の形態のピロー付マット１Ａの肩甲帯用のエアーバッグ３０ｂ，３０ｃを加えることで、４０、５０肩の保護機能を複合しても良いことは言うまでもない。
【００４０】
以上、述べたように、仰臥用のマットについて、本発明により、仰臥した使用者の脊柱を好ましい状態で支持可能なものとして、脊柱の歪みに起因した症状を予防又は軽減できるようになった。
【符号の説明】
【００４１】
１Ａ，１Ｂ  ピロー付マット、３Ａ，３Ｂ  胴部用マット、４Ａ，４Ｂ  ピロー、６Ａ，６Ｂ  エアーコントロールボックス、７  チューブ、８  電源線、１５Ａ，１５Ｂ  リモコン、３０，３１  マット本体、３０ａ，３０ｂ，３０ｃ，３１ａ，３１ｂ，４０ａ，４０ｂ，４１ａ，４１ｂ，４１ｃ  エアーバッグ、４０，４１  ピロー本体
【図１】
2018082834.tif 000004
【図２】
2018082834.tif 000005
【図３】
2018082834.tif 000006
【図４】
2018082834.tif 000007
【図５】
2018082834.tif 000008
【図６】
2018082834.tif 000009
【図７】
2018082834.tif 000010